(57)【特許請求の範囲】
【請求項１】
コンクリート製および鋼製構造物間の目地部に設置され土砂などの裏込め材の吸い出しを防止するコンクリート製および鋼製構造物の目地部の吸出し防止材であって、
内部に補強布が埋設されゴム・合成樹脂などの弾性変形可能な材料からなる２枚の防止材本体を備え、この防止材本体の両端部をそれぞれ重ね合わせて横断面形状を環状とし、前記目地部への挿着のための自立する剛性を有するとともに、運搬時には巻き取ることが可能な碇着部を設け、
目地部間の側壁方向に沿って目地部の水側から挿着配置され、環状の横断面内部に充填部材が充填されて目地部間の両側壁に密着させて吸出し防止可能に構成したことを特徴とするコンクリート製および鋼製構造物の目地部の吸出し防止材。
【請求項２】
前記防止材本体には、外表面に目地部の高さ方向に沿う吸い出し防止用の突条部を形成して構成したことを特徴とする請求項１記載のコンクリート製および鋼製構造物の目地部の吸出し防止材。
【請求項３】
前記碇着部は、前記補強布を重ねて外側に被覆部材を設けて目地部への挿入用の支持部と兼用可能に構成したことを特徴とする請求項１または２記載のコンクリート製および鋼製構造物の目地部の吸出し防止材。
【請求項４】
前記防止材本体は、下端部を塞ぐとともに、内側に折り込んで袋状に形成し、目地部の上下方向の変位に追従して伸長可能に構成したことを特徴とする請求項１〜３のいずれかに記載のコンクリート製および鋼製構造物の目地部の吸出し防止材。
【請求項５】
コンクリート製および鋼製構造物間の目地部に土砂などの裏込め材の吸い出しを防止する吸出し防止材を挿着・施工するに際し、
前記目地部の水側から目地部内を清掃した後、前記吸出し防止材を、内部に補強布が埋設されゴム・合成樹脂などの弾性変形可能な材料からなる２枚の防止材本体を備え、この防止材本体を重ね合わせて横断面形状を環状とし両端部にそれぞれ碇着部を設け、
目地部間の側壁方向に沿って目地部の水側から挿着配置され、環状の横断面内部に充填部材が充填されて目地部間の両側壁に密着させて吸出し防止可能に構成し、
前記吸出し防止部材を施工用治具に前記吸出し防止材の目地部の水側となる前記碇着部を取り付けて防止材本体を重ねた状態とした後、施工用治具ごと下端部を目地部の水側の下端部に装着し、当該下端部を支点として回動させて吸出し防止部材を挿着し、次いで、吸出し防止材の環状の横断面内部に充填部材を充填して目地部間の両側壁に密着させるようにしたことを特徴とするコンクリート製および鋼製構造物の目地部への吸出し防止材の施工方法。
【請求項６】
コンクリート製および鋼製構造物間の目地部に土砂などの裏込め材の吸い出しを防止する吸出し防止材を挿着・施工するに際し、
前記目地部の水側から目地部内を清掃した後、前記請求項１〜４のいずれかに記載の吸出し防止材を施工用治具に前記吸出し防止材の目地部の水側となる前記碇着部を取り付けて防止材本体を重ねた状態とした後、施工用治具ごと下端部を目地部の水側の下端部に装着し、当該下端部を支点として回動させて吸出し防止部材を挿着し、次いで、吸出し防止材の環状の横断面内部に充填部材を充填して目地部間の両側壁に密着させるようにしたことを特徴とするコンクリート製および鋼製構造物の目地部への吸出し防止材の施工方法。
【請求項７】
コンクリート製および鋼製構造物間の目地部に土砂などの裏込め材の吸い出しを防止する吸出し防止材を挿着・施工するに際し、
前記目地部の水側から目地部内を清掃した後、施工用治具を前記目地部の水側に設置した後、前記施工用治具に設けたガイド溝に沿って前記請求項１〜４のいずれかに記載の吸出し防止材または前記請求項５に記載の施工方法に用いられる前記吸出し防止材の前記碇着部を挿着するようにして防止材本体を重ねた状態として取り付け、次いで、吸出し防止材の環状の横断面内部に充填部材を充填して目地部間の両側壁に密着させるようにしたことを特徴とするコンクリート製および鋼製構造物の目地部への吸出し防止材の施工方法。
【請求項８】
前記目地部の水側の端に前記吸出し防止材の突出を押える押え部材を設けてコンクリート製および鋼製構造物に固定するようにしたことを特徴とする請求項５〜７のいずれかに記載のコンクリート製および鋼製構造物の目地部への吸出し防止材の施工方法。
【請求項９】
前記施工用治具を、前記押え部材と兼用し、または前記押え部材とともにコンクリート製および鋼製構造物に設置したままとするようにしたことを特徴とする請求項５〜８のいずれかに記載のコンクリート製および鋼製構造物の目地材への吸出し防止材の施工方法。
【請求項１０】
コンクリート製および鋼製構造物間の目地部に土砂などの裏込め材の吸い出しを防止する吸出し防止材を挿着・施工する施工用治具であって、
前記請求項１〜４のいずれかに記載の吸出し防止材または前記請求項５に記載の施工方法に用いられる前記吸出し防止材の一端部の碇着部が装着される治具本体を備え、この治具本体を目地部の高さ方向に複数に分割・連結可能に構成したことを特徴とするコンクリート製および鋼製構造物の目地部への吸出し防止材の施工用治具。
【請求項１１】
前記治具本体に、前記碇着部をスライド可能にガイドするガイド溝を設け、予め目地部の水側の内側に固定した治具本体のガイド溝に碇着部をスライドさせて挿着可能に構成したことを特徴とする請求項１０記載のコンクリート製および鋼製構造物の目地部への吸出し防止材の施工用治具。
【請求項１２】
コンクリート製および鋼製構造物間の目地部に土砂などの裏込め材の吸い出しを防止する吸出し防止材を挿着・施工する施工用治具であって、
前記請求項１〜４のいずれかに記載の吸出し防止材または前記請求項５に記載の施工方法に用いられる前記吸出し防止材の上端部が装着される治具本体を備え、この治具本体に、前記吸出し防止材の目地部の水側上端部を固定する固定部材と、目地部奥側上端部を係止する係止部材とを設け、目地部に挿着後固定部材を取り外して係止部材の係止を解放可能に構成したことを特徴とするコンクリート製および鋼製構造物の目地部への吸出し防止材の施工用治具。
【発明の詳細な説明】
【技術分野】
【０００１】
この発明は、コンクリート製および鋼製構造物の目地部の吸出し防止材、その施工方法および施工用治具に関し、コンクリート製および鋼製構造物の目地部から土砂などの裏込め材が流出するのを防止できる吸出し防止材、吸出し防止材を簡単に施工できる方法およびこれに用いる施工用治具で、既設の港湾構造物などに適用して好適なものである。
【背景技術】
【０００２】
海洋において埋立地等の造成のための護岸や防波堤などの港湾構造物や河川の護岸などの構造物には、コンクリート製および鋼製構造物が用いられることが多く、例えばその1つにコンクリート製のケーソンがあり、例えば、図９に示すように、陸上において護岸となる高さを備えた函体のケーソン１を造り、海上の捨石基礎上に運搬し、ケーソン１のフーチング部２を捨石基礎上に据え付け、ケーソン１，１間の縦方向の目地部３に目地材を設けて遮水や裏込め材の吸出しを防止し、さらにケーソン１，１の上部を上部工４で覆って港湾構造物として使用される。
【０００３】
このようなケーソンなどのコンクリート製および鋼製構造物では、老朽化によって目地部から裏込め材の吸出しが生じるような場合があり、その対処法が種々提案されており、例えばケーソン間の目地部の前面に伸縮部を備えた目地板を設置することが提案されている（特許文献１参照）。
また、耐候性ゴムの管体をケーソンの目地部に上下方向に沿って挿入し、拡径部材を構成するボルト・ナットで外側から締め付けることで、管体を弾性変形させて目地部を閉塞できるようにするものがある（特許文献２参照）。
さらに、ケーソンの目地部に跨って上部から挿入穴を切削して穿孔し、この挿入穴に充填材案内体を挿入し、その内部に流動性充填材を所定高さまで充填するようにするものがある（特許文献３参照）。
【先行技術文献】
【特許文献】
【０００４】
【特許文献１】特開平１０−８８５４８号公報
【特許文献２】特開平１０−３１１０１５号公報
【特許文献３】特開２０００−３５２０３５号公報
【発明の概要】
【発明が解決しようとする課題】
【０００５】
ところが、コンクリート製および鋼製構造物の目地部の前面に伸縮部を備えた目地板を設置する方法では、見栄えが悪い上に吸出しが落ち着くまでに時間を要するという問題がある。
また、目地部に耐候性ゴムの管体を装着し、ボルト・ナットで拡幅して目地部を閉塞する方法では、目地部の上部を覆っている上部工を掘削する必要があり、大掛かりな工事となるという問題がある。
さらに、目地部を跨いで挿入穴を切削して穿孔し、挿入穴に充填材案内体を挿入し、内部に流動充填材を充填する方法では、挿入穴の切削穿孔のため、上部工の掘削が必要で、その後に挿入穴の穿孔も必要であることから一層大掛かりな工事となるという問題がある。
【０００６】
この発明は、かかる従来技術の問題に鑑みてなされたものであって、上部工の大幅な掘削や挿入穴の穿孔が必要なく、簡単に目地部からの裏込め材の吸出しを防止することができ、施工も容易なコンクリート製および鋼製構造物の目地部の吸出し防止材、その施工方法および施工用治具を提供しようとするものである。
【課題を解決するための手段】
【０００７】
上記課題を解決するためこの発明の請求項１記載のコンクリート製および鋼製構造物の目地部の吸出し防止材は、コンクリート製および鋼製構造物間の目地部に設置され土砂などの裏込め材の吸い出しを防止するコンクリート製および鋼製構造物の目地部の吸出し防止材であって、内部に補強布が埋設されゴム・合成樹脂などの弾性変形可能な材料からなる２枚の防止材本体を備え、この防止材本体の両端部をそれぞれ重ね合わせて横断面形状を環状とし、前記目地部への挿着のための自立する剛性を有するとともに、運搬時には巻き取ることが可能な碇着部を設け、目地部間の側壁方向に沿って目地部の水側から挿着配置され、環状の横断面内部に充填部材が充填されて目地部間の両側壁に密着させて吸出し防止可能に構成したことを特徴とするものである。
【０００８】
この発明の請求項２記載のコンクリート製および鋼製構造物の目地部の吸出し防止材は、請求項１記載の構成に加え、前記防止材本体には、外表面に目地部の高さ方向に沿う吸い出し防止用の突条部を形成して構成したことを特徴とするものである。
【０００９】
この発明の請求項３記載のコンクリート製および鋼製構造物の目地部の吸出し防止材は、請求項１または２記載の構成に加え、前記碇着部は、前記補強布を重ねて外側に被覆部材を設けて目地部への挿入用の支持部と兼用可能に構成したことを特徴とするものである。
【００１０】
この発明の請求項４記載のコンクリート製および鋼製構造物の目地部の吸出し防止材は、請求項１〜３のいずれかに記載の構成に加え、前記防止材本体は、下端部を塞ぐとともに、内側に折り込んで袋状に形成し、目地部の上下方向の変位に追従して伸長可能に構成したことを特徴とするものである。
【００１１】
この発明の請求項５記載のコンクリート製および鋼製構造物の目地部への吸出し防止材の施工方法は、コンクリート製および鋼製構造物間の目地部に土砂などの裏込め材の吸い出しを防止する吸出し防止材を挿着・施工するに際し、前記目地部の水側から目地部内を清掃した後、前記吸出し防止材を、内部に補強布が埋設されゴム・合成樹脂などの弾性変形可能な材料からなる２枚の防止材本体を備え、この防止材本体を重ね合わせて横断面形状を環状とし両端部にそれぞれ碇着部を設け、目地部間の側壁方向に沿って目地部の水側から挿着配置され、環状の横断面内部に充填部材が充填されて目地部間の両側壁に密着させて吸出し防止可能に構成し、前記吸出し防止部材を施工用治具に前記吸出し防止材の目地部の水側となる前記碇着部を取り付けて防止材本体を重ねた状態とした後、施工用治具ごと下端部を目地部の水側の下端部に装着し、当該下端部を支点として回動させて吸出し防止部材を挿着し、次いで、吸出し防止材の環状の横断面内部に充填部材を充填して目地部間の両側壁に密着させるようにしたことを特徴とするものである。
この発明の請求項６記載のコンクリート製および鋼製構造物の目地部への吸出し防止材の施工方法は、コンクリート製および鋼製構造物間の目地部に土砂などの裏込め材の吸い出しを防止する吸出し防止材を挿着・施工するに際し、前記目地部の水側から目地部内を清掃した後、前記請求項１〜４のいずれかに記載の吸出し防止材を施工用治具に前記吸出し防止材の目地部の水側となる前記碇着部を取り付けて防止材本体を重ねた状態とした後、施工用治具ごと下端部を目地部の水側の下端部に装着し、当該下端部を支点として回動させて吸出し防止部材を挿着し、次いで、吸出し防止材の環状の横断面内部に充填部材を充填して目地部間の両側壁に密着させるようにしたことを特徴とするものである。
この発明の請求項７記載のコンクリート製および鋼製構造物の目地部への吸出し防止材の施工方法は、コンクリート製および鋼製構造物間の目地部に土砂などの裏込め材の吸い出しを防止する吸出し防止材を挿着・施工するに際し、前記目地部の水側から目地部内を清掃した後、施工用治具を前記目地部の水側に設置した後、前記施工用治具に設けたガイド溝に沿って前記請求項１〜４のいずれかに記載の吸出し防止材または前記請求項５に記載の施工方法に用いられる前記吸出し防止材の前記碇着部を挿着するようにして防止材本体を重ねた状態として取り付け、次いで、吸出し防止材の環状の横断面内部に充填部材を充填して目地部間の両側壁に密着させるようにしたことを特徴とするものである。
【００１２】
この発明の請求項８記載のコンクリート製および鋼製構造物の目地部への吸出し防止材の施工方法は、請求項５〜７のいずれかに記載の構成に加え、前記目地部の水側の端に前記吸出し防止材の突出を押える押え部材を設けてコンクリート製および鋼製構造物に固定するようにしたことを特徴とするものである。
【００１５】
この発明の請求項９記載のコンクリート製および鋼製構造物の目地部への吸出し防止材の施工方法は、請求項５〜８のいずれかに記載の構成に加え、前記施工用治具を、前記押え部材と兼用し、または前記押え部材とともにコンクリート製および鋼製構造物に設置したままとするようにしたことを特徴とするものである。
【００１６】
この発明の請求項１０記載のコンクリート製および鋼製構造物の目地部への吸出し防止材の施工用治具は、コンクリート製および鋼製構造物間の目地部に土砂などの裏込め材の吸い出しを防止する吸出し防止材を挿着・施工する施工用治具であって、前記請求項１〜４のいずれかに記載の吸出し防止材または前記請求項５に記載の施工方法に用いられる前記吸出し防止材の一端部の碇着部が装着される治具本体を備え、この治具本体を目地部の高さ方向に複数に分割・連結可能に構成したことを特徴とするものである。
【００１７】
この発明の請求項１１記載のコンクリート製および鋼製構造物の目地部への吸出し防止材の施工用治具は、請求項１０記載の構成に加え、前記治具本体に、前記碇着部をスライド可能にガイドするガイド溝を設け、予め目地部の水側の内側に固定した治具本体のガイド溝に碇着部をスライドさせて挿着可能に構成したことを特徴とするものである。
【００１８】
この発明の請求項１２記載のコンクリート製および鋼製構造物の目地部への吸出し防止材の施工用治具は、コンクリート製および鋼製構造物間の目地部に土砂などの裏込め材の吸い出しを防止する吸出し防止材を挿着・施工する施工用治具であって、前記請求項１〜４のいずれかに記載の吸出し防止材または前記請求項５に記載の施工方法に用いられる前記吸出し防止材の上端部が装着される治具本体を備え、この治具本体に、前記吸出し防止材の目地部の水側上端部を固定する固定部材と、目地部奥側上端部を係止する係止部材とを設け、目地部に挿着後固定部材を取り外して係止部材の係止を解放可能に構成したことを特徴とするものである。
【００１９】
なお、ここでコンクリート製および鋼製構造物とは、ケーソン、ＰＣ壁体およびＰＣ加圧矢板などのコンクリートで構成される構造物や鋼材などで構成されるケーソンなどの構造物をいい、コンクリート製および鋼製構造物は、既設のコンクリート製および鋼製構造物に限らず新設するコンクリート製および鋼製構造物のいずれをも含むものである。
水側とは、海洋での海水側、河川などでの水側をいうものである。
【発明の効果】
【００２０】
この発明の請求項１記載のコンクリート製および鋼製構造物の目地部の吸出し防止材によれば、コンクリート製および鋼製構造物間の目地部に設置され土砂などの裏込め材の吸い出しを防止するコンクリート製および鋼製構造物の目地部の吸出し防止材であって、内部に補強布が埋設されゴム・合成樹脂などの弾性変形可能な材料からなる２枚の防止材本体を備え、この防止材本体の両端部をそれぞれ重ね合わせて横断面形状を環状とし、前記目地部への挿着のための自立する剛性を有するとともに、運搬時には巻き取ることが可能な碇着部を設け、目地部間の側壁方向に沿って目地部の水側から挿着配置され、環状の横断面内部に充填部材が充填されて目地部間の両側壁に密着させて吸出し防止可能に構成したので、補強布で補強された２枚の防止材本体の両端部を重ねて碇着部を設けて横断面形状を環状とし、防止材本体を重ねるようにして薄くすることで、目地部の水側から挿着して目地部内に配置し、環状の横断面内部に充填部材を充填することで、防止材本体を目地部の側壁に密着させることができ、上部工の掘削や挿入用の穴を穿孔する必要がなく、簡単に目地部の水側から吸出し防止材を取り付けて裏込め材の吸出しを防止することができる。
これにより、目地部に変位が生じても充填部材が充填された吸出し防止材の横断面形状の変化などで対応することができる。
また、碇着部の自立する剛性を利用して目地部への挿着が容易にできるとともに、運搬時には巻き取ることで簡単に運搬することができる。
【００２１】
この発明の請求項２記載のコンクリート製および鋼製構造物の目地部の吸出し防止材によれば、前記防止材本体には、外表面に目地部の高さ方向に沿う吸い出し防止用の突条部を形成して構成したので、吸い出し防止用の突条部によって目地部の側壁への密着性を高めることができ、一層確実に遮水や裏込め材の吸い出しを防止することができる。
【００２２】
この発明の請求項３記載のコンクリート製および鋼製構造物の目地部の吸出し防止材によれば、前記碇着部は、前記補強布を重ねて外側に被覆部材を設けて目地部への挿入用の支持部と兼用可能に構成したので、碇着部の外側をゴム等の被覆部材で覆うことで、碇着部の剛性を高めて支持部と兼用することができ、目地部への挿着が容易になり、一層簡単に施工することができる。
【００２３】
この発明の請求項４記載のコンクリート製および鋼製構造物の目地部の吸出し防止材によれば、前記防止材本体は、下端部を塞ぐとともに、内側に折り込んで袋状に形成し、目地部の上下方向の変位に追従して伸長可能に構成したので、吸出し防止材の下端部を塞ぐとともに、内側に織り込んで袋状とすることで、目地部の上下方向の変位が生じてもこれに追従して底部が伸長することができ、目地部の底部の遮水や吸出し防止を一層確実に行うことができる。
【００２４】
この発明の請求項５記載のコンクリート製および鋼製構造物の目地部への吸出し防止材の施工方法によれば、コンクリート製および鋼製構造物間の目地部に土砂などの裏込め材の吸い出しを防止する吸出し防止材を挿着・施工するに際し、前記目地部の水側から目地部内を清掃した後、前記吸出し防止材を、内部に補強布が埋設されゴム・合成樹脂などの弾性変形可能な材料からなる２枚の防止材本体を備え、この防止材本体を重ね合わせて横断面形状を環状とし両端部にそれぞれ碇着部を設け、目地部間の側壁方向に沿って目地部の水側から挿着配置され、環状の横断面内部に充填部材が充填されて目地部間の両側壁に密着させて吸出し防止可能に構成し、前記吸出し防止部材を施工用治具に前記吸出し防止材の目地部の水側となる前記碇着部を取り付けて防止材本体を重ねた状態とした後、施工用治具ごと下端部を目地部の水側の下端部に装着し、当該下端部を支点として回動させて吸出し防止部材を挿着し、次いで、吸出し防止材の環状の横断面内部に充填部材を充填して目地部間の両側壁に密着させるようにしたので、清掃した目地部に施工用治具で吸出し防止材を防止材本体を２枚重ねた状態として薄く拘束することで、目地部に水側から挿着することができ、簡単に施工することができるとともに、目地部の清掃も水側から行うことができる。
これにより、上部工の掘削や挿入用の穴を穿孔する必要がなく、簡単に目地部の水側から吸出し防止材を取り付けて裏込め材の吸出しを防止することができるとともに、目地部に変位が生じても充填部材が充填された吸出し防止材の横断面形状の変化などで対応することができる。
また、施工用治具に吸出し防止材の外側となる碇着部を取り付けておき、下端部を目地部に入れて傾けた状態とし、この下端部を支点として垂直に立てるようにすることで、目地部に吸出し防止材を挿着することができ、簡単に装着することができるとともに、クレーンなどを利用して一層容易に施工することができる。
この発明の請求項６記載のコンクリート製および鋼製構造物の目地部への吸出し防止材の施工方法によれば、コンクリート製および鋼製構造物間の目地部に土砂などの裏込め材の吸い出しを防止する吸出し防止材を挿着・施工するに際し、前記目地部の水側から目地部内を清掃した後、前記請求項１〜４のいずれかに記載の吸出し防止材を施工用治具に前記吸出し防止材の目地部の水側となる前記碇着部を取り付けて防止材本体を重ねた状態とした後、施工用治具ごと下端部を目地部の水側の下端部に装着し、当該下端部を支点として回動させて吸出し防止部材を挿着し、次いで、吸出し防止材の環状の横断面内部に充填部材を充填して目地部間の両側壁に密着させるようにしたので、清掃した目地部に施工用治具で吸出し防止材を防止材本体を２枚重ねた状態として薄く拘束することで、目地部に水側から挿着することができ、簡単に施工することができるとともに、目地部の清掃も水側から行うことができる。
これにより、上部工の掘削や挿入用の穴を穿孔する必要がなく、簡単に目地部の水側から吸出し防止材を取り付けて裏込め材の吸出しを防止することができるとともに、目地部に変位が生じても充填部材が充填された吸出し防止材の横断面形状の変化などで対応することができる。
また、施工用治具に吸出し防止材の外側となる碇着部を取り付けておき、下端部を目地部に入れて傾けた状態とし、この下端部を支点として垂直に立てるようにすることで、目地部に吸出し防止材を挿着することができ、簡単に装着することができるとともに、クレーンなどを利用して一層容易に施工することができる。
この発明の請求項７記載のコンクリート製および鋼製構造物の目地部への吸出し防止材の施工方法によれば、コンクリート製および鋼製構造物間の目地部に土砂などの裏込め材の吸い出しを防止する吸出し防止材を挿着・施工するに際し、前記目地部の水側から目地部内を清掃した後、施工用治具を前記目地部の水側に設置した後、前記施工用治具に設けたガイド溝に沿って前記請求項１〜４のいずれかに記載の吸出し防止材または前記請求項５に記載の施工方法に用いられる前記吸出し防止材の前記碇着部を挿着するようにして防止材本体を重ねた状態として取り付け、次いで、吸出し防止材の環状の横断面内部に充填部材を充填して目地部間の両側壁に密着させるようにしたので、清掃した目地部に施工用治具で吸出し防止材を防止材本体を２枚重ねた状態として薄く拘束することで、目地部に水側から挿着することができ、簡単に施工することができるとともに、目地部の清掃も水側から行うことができる。
これにより、上部工の掘削や挿入用の穴を穿孔する必要がなく、簡単に目地部の水側から吸出し防止材を取り付けて裏込め材の吸出しを防止することができるとともに、目地部に変位が生じても充填部材が充填された吸出し防止材の横断面形状の変化などで対応することができる。
また、施工用治具を目地部に設置しておき、この施工用治具のガイド溝を利用して吸出し防止材をスライドさせながら装着することができ、ガイド溝により簡単に挿着することができる。
【００２５】
この発明の請求項８記載のコンクリート製および鋼製構造物の目地部への吸出し防止材の施工方法によれば、前記目地部の水側の端に前記吸出し防止材の突出を押える押え部材を設けてコンクリート製および鋼製構造物に固定するようにしたので、目地部の水側の端に押え部材を取り付けることで、吸出し防止材が抜け出すことを押えることができ、確実に挿着状態を維持することができる。
【００２８】
この発明の請求項９記載のコンクリート製および鋼製構造物の目地部への吸出し防止材の施工方法によれば、前記施工用治具を、前記押え部材と兼用し、または前記押え部材とともにコンクリート製および鋼製構造物に設置したままとするようにしたので、施工治具をそのまま残すことで押え部材と兼用することができ、吸出し防止材の抜け出しを機械的に防止することができる。
【００２９】
この発明の請求項１０記載のコンクリート製および鋼製構造物の目地部への吸出し防止材の施工用治具によれば、コンクリート製および鋼製構造物間の目地部に土砂などの裏込め材の吸い出しを防止する吸出し防止材を挿着・施工する施工用治具であって、前記請求項１〜４のいずれかに記載の吸出し防止材または前記請求項５に記載の施工方法に用いられる前記吸出し防止材の一端部の碇着部が装着される治具本体を備え、この治具本体を目地部の高さ方向に複数に分割・連結可能に構成したので、高さ方向に分割したものを連結して使用することができ、運搬が容易となるとともに、目地部の高さに対応した治具本体とすることができ、施工時の取り扱いが容易となる。
【００３０】
この発明の請求項１１記載のコンクリート製および鋼製構造物の目地部への吸出し防止材の施工用治具によれば、前記治具本体に、前記碇着部をスライド可能にガイドするガイド溝を設け、予め目地部の水側の内側に固定した治具本体のガイド溝に碇着部をスライドさせて挿着可能に構成したので、ガイド溝に碇着部をスライドさせて挿着することができ、簡単に施工することができる。
【００３１】
この発明の請求項１２記載のコンクリート製および鋼製構造物の目地部への吸出し防止材の施工用治具によれば、コンクリート製および鋼製構造物間の目地部に土砂などの裏込め材の吸い出しを防止する吸出し防止材を挿着・施工する施工用治具であって、前記請求項１〜４のいずれかに記載の吸出し防止材または前記請求項５に記載の施工方法に用いられる前記吸出し防止材の上端部が装着される治具本体を備え、この治具本体に、前記吸出し防止材の目地部の水側上端部を固定する固定部材と、目地部奥側上端部を係止する係止部材とを設け、目地部に挿着後固定部材を取り外して係止部材の係止を解放可能に構成したので、吸出し防止材の挿入方向奥側をピンなどの係止部材で取り付け、挿入方向手前側をボルトなどの固定部材で取り付けておき、挿入後固定部材を外して施工用治具を奥側に押し込んで係止部材を外すことで、目地部内から施工用治具を簡単に取り外すことができる。
【図面の簡単な説明】
【００３２】
【図１】この発明のコンクリート製および鋼製構造物の目地部の吸出し防止材の一実施の形態にかかり、（ａ）および（ｂ）は吸出し防止材の概略斜視図および底部の縦断面図、（ｃ）は横断面図、（ｄ）は充填部材を充填した状態の横断面図である。
【図２】この発明のコンクリート製および鋼製構造物の目地部の吸出し防止材の施工方法の一実施の形態にかかる工程の説明図である。
【図３】この発明のコンクリート製および鋼製構造物の目地部の吸出し防止材の施工用治具の一実施の形態にかかり、(ａ)は施工用治具の組み立て状態および施工用治具への吸出し防止材の装着途中の正面図、(ｂ)は治具本体組み立て状態の中間部の概略斜視図および（ｃ）は治具本体の底部の概略斜視図である。
【図４】この発明のコンクリート製および鋼製構造物の目地部の吸出し防止材の施工用治具の一実施の形態の施工方法にかかり、(ａ)は全体の概略斜視図および(ｂ)は上部工での部分拡大概略斜視図である。
【図５】この発明のコンクリート製および鋼製構造物の目地部の吸出し防止材の施工用治具の他の一実施の形態にかかり、(ａ)は治具本体の概略斜視図および(ｂ)は治具本体の中間部での設置状態の概略斜視図である。
【図６】この発明のコンクリート製および鋼製構造物の目地部の吸出し防止材の施工用治具の他の一実施の形態の施工方法にかかり、(ａ)は構造物への取り付け状態での全体の概略斜視図および正面図、(ｂ)は上部工での部分拡大概略斜視図である。
【図７】この発明のコンクリート製および鋼製構造物の目地部の吸出し防止材の施工用治具のさらに他の一実施の形態にかかり、(ａ)は吸出し防止材を組み立てる前の状態の概略斜視図および(ｂ)は吸出し防止材頂部の部分拡大斜視図である。
【図８】この発明のコンクリート製および鋼製構造物の目地部の吸出し防止材の施工用治具のさらに他の一実施の形態の施工方法にかかり、(ａ)は施工開始状態の概略斜視図および(ｂ)は施工完了直前の概略斜視図である。
【図９】この発明の適用対象であるコンクリート製および鋼製構造物のケーソンの概略斜視図である。
【発明を実施するための形態】
【００３３】
以下、この発明を実施するための形態について、図面に基づき詳細に説明する。
このコンクリート製および鋼製構造物の吸出し防止材１０は、図１に示すように、例えばコンクリート構造物であるケーソン１，１の目地部３の海側から両側壁間に挿着し、環状の横断面形状の内側に充填部材５の充填により両側壁に密着させて遮水および吸出し防止を図るとともに、目地部３の開閉および剪断変位を吸収するものであり、特に、既設のコンクリート構造物であるケーソン１，１の目地部３間から裏込め材の吸い出しが生じている場合の補修に適用して好適なものであるが、新設のコンクリート製および鋼製構造物への適用も可能である。
【００３４】
この吸出し防止材１０は、ゴム・合成樹脂などの弾性変形可能な材料からなる２枚の防止材本体１１，１１を備え、内部に補強布１２が埋設されて構成されており、この実施の形態では、ケーソン１，１の目地部３の形状に合わせて手前側上端部が斜めに切り欠いた状態としてある。そして、この防止材本体１１，１１の両端部をそれぞれ重ね合わせて横断面形状を環状とする碇着部１３，１３が設けてあり、碇着部１３，１３は、２枚の補強布１２，１２が重ねられ、その外側をゴムなどで被覆されて横断面形状が直方体状に形成してある。
これにより、吸出し防止材１０では、横断面形状が環状とされた防止材本体１１，１１の両端縁部が碇着部１３，１３によって閉塞され、防止材本体１１，１１を重ねるようにすることで、目地部３への挿着を容易にできるとともに、運搬の際には、巻いて運ぶことができるようにしてある。
この吸出し防止材１０の底部は、防止材本体１１，１１を袋閉じ部１４で閉塞され、しかも内側（上方）に折り込んであり、目地部３への取り付け後のケーソン１，１の上下方向の変位に対して伸長することで追従して遮水や吸出し防止状態を保持できるようにしてある。
さらに、防止材本体１１，１１の外表面には、目地部３の上下方向に沿う突条部１５が防止材本体１１，１１の成形の際に一体に形成され、目地部３の側壁への接触面圧を高めることで、遮水性および吸出し防止性を向上できるようにしてあり、この実施の形態では、片側に間隔をあけて６本ずつ設けてある。
【００３５】
このように構成した吸出し防止材１０の目地部３への施工方法は、例えば図２にその工程を示すように、まず、吸出し防止材１０を取り付けるケーソン１，１間の目地部３の取付面の清掃を水側から行う。この目地部３の清掃では、ケーソン１，１の側壁および底部に流出している土砂を排除する。この後、目地部３の空間に吸出し防止材１０を挿し込むように挿着し、手前側の碇着部１３が目地部３内に位置するようにする（図２（ａ）参照）。
この吸出し防止材１０を目地部３の空間に挿し込む場合には、防止材本体１１，１１を重ねるようにして薄くしておき、碇着部１３の剛性による自立性を利用して挿入用の支持部として挿着することで、施工を容易に行うことができる。
なお、上記の潜水夫などにより施工する場合のほか、実際の吸出し防止材１０の目地部３への挿着には、後述する専用の施工用治具を用いることで、施工性を向上できるようにする。
【００３６】
こうして目地部３に吸出し防止材１０を挿着した後、吸出し防止材１０の２枚の防止材本体１１，１１の環状の内部に充填部材５を充填し、膨らませて防止材本体１１，１１をそれぞれ目地部３の両側壁に密着させる（図２（ｂ）参照）。
この充填部材５の充填は、ケーソン１，１の上部を覆う上部工４に穴を空け、シュータを設置して充填部材５を投入するようにしたり、上部工４の下面の隙間からシュータの先端を挿し込んで充填部材５を投入するようにする。
充填部材５としては、これまでと同様に、土砂、アスファルトマチックなどを用いるほか、水分との接触で膨張する高吸水性樹脂を混入したものを使用しても良く、こうすることで、充填部材の投入時の目詰まりを無くすなど機械的にポンプなどで圧送して充填することで、施工性を向上することができる。
充填部材５の充填で膨らませて目地部３の両側壁に密着される防止材本体１１，１１には、突条部１５が複数本形成してあるので、突条部１５での密着圧力が高まり、確実に遮水することができるとともに、裏込め材の吸出しを防止することができる。
【００３７】
次いで、目地部３に挿入し、充填部材５を充填して目地部３の両側壁に密着させて吸出し防止材１０が目地部３から抜け出さないようにするため、押え部材１６をコンクリート構造物であるケーソン１，１にアンカーボルトなど取り付ける。この押え部材１６は、少なくとも目地部３の上下端部の２箇所に取り付けるようにするほか、目地部の高さによってはさらに取付箇所を増加するようにすれば良い（図２（ｃ）参照）。
【００３８】
以上、詳細に説明したように、このような吸出し防止材１０およびその施工方法によれば、補強布１２で補強された２枚の防止材本体１１，１１の両端部を重ねて碇着部１３，１３を設けて横断面形状を環状とし、防止材本体１１，１１を重ねるようにして薄くすることで、目地部３の水側から挿着して目地部３内に配置し、環状の横断面内部に充填部材５を充填することで、防止材本体１１，１１を目地部３の側壁に密着させることができ、上部工４の掘削や挿入用の穴を穿孔する必要がなく、簡単に目地部３の水側から吸出し防止材１０を取り付けて裏込め材の吸出しを防止することができる。
これにより、目地部３に変位が生じても充填部材５が充填された吸出し防止材１０の横断面形状の変化などで対応することができる。
【００３９】
また、防止材本体１１，１１には、外表面に目地部３の高さ方向に沿う吸い出し防止用の突条部１５を形成したので、吸い出し防止用の突条部１５によって目地部３の側壁への密着性を高めることができ、一層確実に遮水や裏込め材の吸い出しを防止することができる。
【００４０】
さらに、この吸出し防止材１０によれば、碇着部１３，１３は、補強布１２を重ね合わせて外側に被覆部材を設けたので、碇着部１３，１３の外側をゴム等の被覆部材で覆うことで、碇着部１３，１３の剛性を高めて支持部と兼用することができ、目地部３への挿着が容易になり、一層簡単に施工することができる。
【００４１】
また、防止材本体１１，１１は、下端部を袋閉じ部１４で塞ぐとともに、内側に折り込んで袋状に形成したので、目地部３の上下方向の変位が生じてもこれに追従して吸出し防止材１０の底部が伸長することで、目地部３の底部の遮水や吸出し防止を一層確実に行うことができる。
【００４２】
このコンクリート製および鋼製構造物の目地部への吸出し防止材の施工方法によれば、清掃した目地部３に吸出し防止材１０を防止材本体１１，１１を２枚重ねた状態として薄く拘束することで、目地部３に水側から挿着することができ、簡単に施工することができるとともに、目地部３の清掃も水側から行うことができる。
これにより、上部工４の掘削や挿入用の穴を穿孔する必要がなく、簡単に目地部３の水側から吸出し防止材１０を取り付けて裏込め材の吸出しを防止することができるとともに、目地部３に変位が生じても充填部材５が充填された吸出し防止材１０の横断面形状の変化などで対応することができる。
【００４３】
また、この吸出し防止材１０の施工方法によれば、目地部３の水側の端に押え部材１６を取り付けることで、吸出し防止材１０が抜け出すことを押えることができ、確実に挿着状態を維持することができる。
【００４４】
次に、この吸出し防止材１０の施工に用いる施工用治具について、図３および図４により説明する。
この施工用治具２０は、吸出し防止材１０の一端部の碇着部１３が装着される治具本体２１を備え、この治具本体２１は目地部３の高さ方向に複数に分割したものを連結して使用するようにしてある。
すなわち、治具本体２１は、吸出し防止材１０の碇着部１３が入る中空矩形状の装着部２２の前面に防止材本体１１，１１をスライドさせて通過できる開口部２３が形成され、後面には、連結板２４が上下にそれぞれボルトで連結されるようになっており、連結板２４の上下端部に装着部２２をそれぞれ連結すること（図示例では、５個の装着部２２および連結板２４を用いている）で、目地部３の高さにあわせた施工用治具とすることができるようになっている。さらに、最下部の装着部２２には、底板２５が吸出し防止材１０の目地部３に沿う方向の寸法に合わせて突き出すように取り付けてあり、最上部の装着部２２の上方に突き出す連結板２４は、目地部３の高さより上方に突き出す長さとされ、ケーソン１，１などの上部から操作できるようにしてある。
【００４５】
このような施工用治具２０では、装着部２２と連結板２４とを分割した状態で施工現場に運搬し、これを組み立てて目地部３の高さにあわせた施工用治具２０とする。
そして、吸出し防止材１０の目地部３の水側の手前に位置させる碇着部１３を治具本体２１の装着部２２に入れ、２枚の防止材本体１１，１１を開口部２３に位置させてスライドさせ、施工用治具２０の底板２５に吸出し防止材１０の下端部が当たるまで押し込んで取り付ける。
次に、施工用治具２０ごと吸出し防止材１０を目地部３の外側にクレーなどを用いて吊り下ろした後、吸出し防止材１０を目地部３の空間に入れるように施工用治具２０を引き寄せるようにして挿着したり、吸出し防止材１０の下端部を先に目地部３に入れるように施工用治具２０を傾けた後、施工用治具２０の下端部を支点として施工用治具２０ごと起こすように回動し、吸出し防止材２０を目地部３内に挿着するようにすることもでき、回動操作をクレーンなどを利用して行うことで、作業者の力によることなく簡単に施工することができる。
こうして目地部３に吸出し防止材１０を装着した後、施工用治具２０ごと押え部材１６で固定するようにしたり、最下部の底板２５を残し、施工用治具２０を上方に引き上げるようにスライドさせて取り外し、その後、押え部材１６を取り付けるようにする。
【００４６】
この吸出し防止材１０の施工方法によれば、施工用治具２０に吸出し防止材１０の目地部３の水側となる碇着部１３を取り付けた後、施工用治具２０ごと下端部を目地部３の水側の下端部に装着し、当該下端部を支点として回動させて吸出し防止部材１０を挿着するようにしたので、目地部３に吸出し防止材１０を挿着することができ、簡単に装着することができるとともに、クレーンなどを利用して一層容易に施工することができる。
【００４７】
また、この吸出し防止材１０の施工方法によれば、施工用治具２０をコンクリート構造物であるケーソン１，１に設置したままとすることで押え部材１６と兼用することができ、吸出し防止材１０の抜け出しを施工用治具２０で機械的に防止することができる。
【００４８】
さらに、この吸出し防止材１０の施工用治具２０によれば、吸出し防止材１０の一端部の碇着部１３が装着される治具本体２１を備え、この治具本体２１を目地部３の高さ方向に複数に分割・連結可能に構成したので、高さ方向に分割したものを連結して使用することができ、運搬が容易となるとともに、目地部３の高さに対応した治具本体２１とすることができ、施工時の取り扱いが容易となる。
【００４９】
次に、この発明の吸出し防止材１０の施工用治具の他の一実施の形態について、図５および図６により説明する。
この施工用治具３０は、治具本体３１に、吸出し防止材１０の碇着部１３をスライド可能にガイドするガイド溝３２を例えば全長にわたって設け、予め目地部３の水側の内側に治具本体３１を固定しておき、目地部３の上端に吸出し防止材１０を挿入する隙間を確保して全長にわたるガイド溝３２に沿って吸出し防止材１０の碇着部１３をスライドさせて挿着することで、目地部３に施工するようにするものである。
したがって、この治具本体３１も治具本体２１と同様、碇着部１３を囲む矩形断面の装着部２２の前面に開口部２３を形成することで、吸出し防止材１０の碇着部１３をスライド可能にガイドするガイド溝３２が構成されており、基本的な構成は施工用治具２０と略同一とされ、予め吸出し防止材１０を取り付けてから目地部３に装着するか、施工用治具３０を予め目地部３に固定した後、吸出し防止材１０をスライドして取り付けるようにするかの使用方法が相違するものである。
したがって、この施工用治具３０では、ガイド溝３２を利用して吸出し防止材１０を目地部３に挿着した後、そのまま施工用治具３０を残すことで作業を完了することで、作業の簡素化を図ることができる。
【００５０】
この吸出し防止材１０の施工用治具３０によれば、施工用治具３０を目地部３に設置しておき、この施工用治具３０のガイド溝３２を利用して吸出し防止材１０をスライドさせながら装着することができ、ガイド溝３２により簡単に目地部３に吸出し防止材１０を挿着することができる。
【００５１】
次に、この吸出し防止材１０の施工用治具のさらに他の実施の形態について、図７および図８により説明する。
この施工用治具４０は、吸出し防止材１０の上端部だけを拘束して目地部３に装着するものである。
この施工用治具４０の治具本体４１は吸出し部材１０が装着できる枠状に構成されて吸出し防止材１０の奥行きより相当大きくしてある。
この治具本体４１には、吸出し防止材１０の目地部３の水側上端部を固定する固定部材４２が中間部に設けられるとともに、目地部３の奥側上端部を係止する係止部材４３が先端部に設けてあり、固定部材４２としてボルトが用いられて水平に突き出すようになっており、係止部材４３としてピンが用いられて水平に対向して突き出すようになっている。
そして、吸出し防止材１０には、固定部材４２のボルトがねじ込まれるねじ穴１７が形成されるとともに、係止部材４３のピンが挿し込まれるピン穴１８が形成してある。
また、治具本体４１には、枠状の上部と下部にそれぞれ吊り下げ用の穴が形成されたブラケット４４が複数設けてあり、図示例では、上部に３個設けられ、下部に１個設けてある。
【００５２】
このように構成した施工用治具４０の治具本体４１には、吸出し防止材１０の上端部先端のピン穴１８を、内側に突き出した係止部材４３のピンに係止した後被せるようにされ、上端部基端の固定部材４２のボルトをねじ穴１７にねじ込んで施工用治具４０に吸出し防止材１０が取り付けられる。
こうして吸出し防止材１０の上端部を施工用治具４０に挿着した後、治具本体４１の挿着方向外側のブラケット４４を介して吊り下げ、目地部３内に引き入れるようにして挿着する。また、吊り下げた状態で治具本体４１の下方に突き出すブラケット４４と目地部３の下端部にアンカーボルト４５を結ぶワイヤをクレーンなどで引き込むようにし、アンカーボルト４５部分を支点として引き込むようにして機械的に吸出し防止材１０を目地部３に装着するようにする。
【００５３】
この施工用治具４０によれば、機械的に吸出し防止材１０を目地部３に装着することができ、作業者の負担を軽減して簡単に装着することができる。
なお、吸出し防止材１０の挿着完了後は、施工用治具４０の基端側（外側）の固定部材４２のボルトを外した後、施工用治具４０の基端側を持ち上げるようにして奥側に押し込んでピン穴１８から係止部材４３のピンを引き抜くようにして係止状態を開放することで、施工用治具４０を簡単に取り外すことができる。
【符号の説明】
【００５４】
１      ケーソン（コンクリート構造物）
２      フーチング部
３      目地部
４      上部工
５      充填部材
１０      吸出し防止材
１１      防止材本体
１２      補強布
１３      碇着部
１４      袋閉じ部
１５      突条部
１６      押え部材
１７      ねじ穴
１８      ピン穴
２０      施工用治具
２１      治具本体
２２      装着部
２３      開口部
２４      連結板
２５      底板
３０      施工用治具
３１      治具本体
３２      ガイド溝
４０      施工用治具
４１      治具本体
４２      固定部材（ボルト）
４３      係止部材（ピン）
４４      ブラケット（ワイヤ取付用）
４５      アンカーボルト
【図１】
0005760238.tif 000002
【図２】
0005760238.tif 000003
【図３】
0005760238.tif 000004
【図４】
0005760238.tif 000005
【図５】
0005760238.tif 000006
【図６】
0005760238.tif 000007
【図７】
0005760238.tif 000008
【図８】
0005760238.tif 000009
【図９】
0005760238.tif 000010